(57)【特許請求の範囲】
【請求項１】
コンクリート床スラブ上に配列した支持脚の上部支承板によって床下地板の角部又は縁部を支持し、該床下地板の上にボード系緩衝材を固定し、該ボード系緩衝材の上に床仕上材を更に固定する床先行工法の二重床構造体において、
前記床下地板及び前記ボード系緩衝材は、実質的に同じボード幅及びボード長を有し、実質的に同一の平面位置に目地を形成するように同一の上下位置に整合した状態で一体的に積層されて一体的複合板を形成し、
前記床下地板は、パーティクルボードであり、前記ボード系緩衝材は、硬質石膏ボード、構造用石膏ボード又は繊維補強石膏板であり、
前記目地は、前記複合板の縁部の間に所定幅の隙間を形成する目透し目地であり、間仕切壁の直下において、少なくとも部分的に前記床仕上げ材で隠蔽されず、床上に位置する前記間仕切壁の内部中空域と床下空間とを通気状態に連通させ、
前記床仕上材は、隣接する前記複合板に跨がるように該ボード系緩衝材の上面に固定されることを特徴とする二重床構造体。
【請求項２】
前記ボード系緩衝材は、0.75〜1.70の範囲内の比重を有することを特徴とする請求項１に記載の二重床構造体。
【請求項３】
コンクリート床スラブ上に配列した支持脚の上部支承板に床下地板の角部又は縁部を支持せしめ、該床下地板の上にボード系緩衝材を固定し、該ボード系緩衝材の上に床仕上材を更に固定する床先行工法の二重床構造体施工方法において、
実質的に同じボード幅及びボード長を有する前記床下地板及び前記ボード系緩衝材を同一の上下位置に整合させた状態で一体的に積層して一体的複合板にするとともに、隣接する該複合板の間に目透し目地を形成し、
該目透し目地によって、前記コンクリート床スラブと前記床下地板との間の床下空間を前記複合板上方の床上空間と連通させることを特徴とする二重床構造体の施工方法。
【請求項４】
前記目透し目地の直上位置において前記ボード系緩衝材の上に内装間仕切壁を施工し、前記床下空間と、前記床上空間を構成する前記間仕切壁の内部中空域とを連通させることを特徴とする請求項３に記載の施工方法。
【発明の詳細な説明】
【技術分野】
【０００１】
本発明は、床先行工法の二重床構造に関するのものであり、より詳細には、コンクリート床スラブ上に配列した支持脚によって床下地板、ボード系緩衝材及び床仕上材を支持する床先行工法の二重床構造に関するものである。
【背景技術】
【０００２】
中高層建築物の二重床構造体の工法として、内装間仕切壁を施工した後にコンクリート床スラブ上に乾式二重床を施工する壁先行工法と、乾式二重床をコンクリート床スラブ上に施工した後に内装間仕切壁を施工する床先行工法とが知られている。
【０００３】
内装間仕切壁を乾式二重床上に支持する床先行工法は、建築平面計画等の自由度、建築設備の配管・配線スペースの形成・確保等の観点より優れていることから、集合住宅のフリープラン化、バリアフリー化、ＳＩ（スケルトン・インフィル）住宅化等を重視する近年の建築技術の傾向に適合しており、このため、集合住宅等の設計・施工において床先行工法を積極的に採用する傾向が近年殊に顕著である。
【０００４】
このような床先行工法の床構造体においては、間仕切壁の下部はコンクリート床スラブに達しておらず、乾式二重床を介してコンクリート床スラブに支持される。このため、間仕切壁の荷重が床仕上材又は床下地板に過剰に作用することなく、支持脚によって確実にコンクリート床スラブに伝達するように床構造体及び間仕切壁を施工する必要が生じる。
【０００５】
しかしながら、乾式二重床の床先行工法においては、多数の支持脚をコンクリート床スラブ上に配列して、床下地板を支持脚上部の支承板上に固定した後、内装間仕切壁を床下地板上に施工する工程が一般に採用されるので、間仕切壁施工の段階では、多くの支持脚は、床下地板によって床下空間に隠蔽されてしまう。このため、間仕切壁を施工する際に支持脚の位置を目視確認することができず、その位置を正確に特定し難い。
【０００６】
このような事情より、床先行工法における間仕切壁下部の支持構造に関し、特許文献１〜４に例示される如く、多種多様な対策が過去に提案されてきた。
【０００７】
例えば、特許文献１（特開２００５−２６４６１５号公報）に記載された二重床構造体は、床下空間及び床上空間を連通する連通孔を床下地材に穿孔し、間仕切壁下方の床下空間に発泡樹脂を注入して発泡樹脂成形体を形成し、発泡樹脂成形体によって間仕切壁の荷重を少なくとも部分的にコンクリート床スラブに伝達しようとしたものである。
【０００８】
特許文献２（特開２００５−２９０７０８号公報）に記載された二重床構造体では、床構造体を床下空間で補強する根太ユニットが間仕切壁の直下に予め配置される。
【０００９】
特許文献３、４（特開２００１−２９５４５１号公報、特開平６−１０８５６８号公報）に記載された二重床構造体においては、床下地材施工後に円形開口部が床下地材に形成され、補強用支持脚又はアジャスタボルトが開口部を貫通するようにコンクリート床スラブに立設され、支持部材又はライナ部材が床下地の上側で補強用支持脚の上端部に固定され、間仕切壁が支持部材上に施工される。この構成の二重床構造体においては、間仕切壁の荷重は、床下地材及び床仕上材に作用せず、補強用支持脚又はアジャスタボルトを介してコンクリート床スラブに直に伝達する。
【００１０】
他方、このような二重床構造体の床自体の遮音性能又は耐衝撃性能等を向上する対策として、比較的高い比重又は剛性を有する硬質石膏ボード又は構造用石膏ボードを床下地板及び床仕上板の間にボード系緩衝材として介装した構成の二重床構造体が、特許文献５及び６（特開２０００−１７０２７９号公報、特開平１０−２９２６１０号公報）等に記載されている。このようなボード系緩衝材として好適に使用し得るボード建材として、ガラス繊維、ガラス繊維不織布等によって芯材や表層を補強した硬質石膏ボード（製品名「タイガースーパーハード」（吉野石膏株式会社製品））、繊維補強石膏板（製品名「タイガーグラスロック」（吉野石膏株式会社製品））等が挙げられる。
【００１１】
このようなボード系緩衝材を用いた床先行工法の二重床構造体では、通常は、床下地板としてパーティクルボードが使用される。パーティクルボードは、切削又は破砕された木材の小片（チップ）に合成樹脂接着剤を塗布し、熱圧成型した比較的厚い面材であり、異方性がなく、強度的にも優れており、板厚１０〜３０mm程度の板厚のものが建材市場に広く流通している。
【００１２】
パーティクルボードの床下地板は、支持脚上部の方形支承板に釘、接着剤等で固定される。通常は、支承板も又、パーティクルボードの木片である。石膏ボード又は石膏板等のボード系緩衝材は、複数の床下地板に跨がるように床下地板上に配置され、ビス、釘、接着剤等によって床下地板に固定され、フローリング材等の床仕上材がボード系緩衝材の上に更に敷設される。  
【特許文献１】特開２００５−２６４６１５号公報
【特許文献２】特開２００５−２９０７０８号公報
【特許文献３】特開２００１−２９５４５１号公報
【特許文献４】特開平６−１０８５６８号公報
【特許文献５】特開２０００−１７０２７９号公報
【特許文献６】特開平１０−２９２６１０号公報
【発明の開示】
【発明が解決しようとする課題】
【００１３】
このようなボード系緩衝材を用いた床構造体に関し、最近の施工事例において、以下の如き問題が生じた。
【００１４】
(1)床構造体の施工後に床鳴り現象が発生することがある。床鳴り現象は、床下地材の材種、寸法、配置、間隔、組立状態、固定方法、乾燥・収縮等の不確定且つ複合的な要因で発生し、その原因を特定し難い現象である。
【００１５】
(2)ボード系緩衝材の上に間仕切壁を建込むときに間仕切壁の鋼製ランナ(床ランナ)や木材を床下地板(パーティクルボード)に強固にビス留めし又はアンカーすることが望ましいが、ボード系緩衝材の上からビス等を打込み又は螺子込む際、床下地板の目透し目地がビス留め位置又は係留位置の直下に位置することがあり、鋼製ランナ等を床下地板に強固に固定し難いことがある(図９、図１０)。
【００１６】
上記(1)の課題の対策として、床下地板及びボード系緩衝材の材質を適切に選択することによって、床鳴り現象を防止し得るとも考えられる。しかし、強度、耐久性、遮音性、断熱性等の建材の各種性能や、実際の市場における建材の価格、入手容易性、流通性等を総合的に考慮すると、現状の床下地板及びボード系緩衝材の材質を容易には変更し難い。
【００１７】
また、上記(2)の課題の対策として、前述の特許文献１及び２に記載される如く、発泡樹脂成形体や補強用根太ユニットを床下空間に施工する方法や、前述の特許文献３及び４に記載される如く、床下地板及びボード系緩衝材を穿孔して補強用支持脚又はアジャスタボルトをコンクリート床スラブ上に立設し、この種の補強部材によって鋼製ランナ等をコンクリート床スラブに直に固定する方法を採用することも考慮し得る。しかしながら、前者の対策は、施工手間、作業性、価格、工期等の点であまりにも不利が多く、現実には採用し難く、また、後者の対策は、施工手間、作業性、価格、工期等の問題のみならず、床下地板及びボード系緩衝材の現場加工による床材の断面欠損等の問題もあり、床構造体の強度確保の観点からも容易に採用し難い事情がある。
【００１８】
本発明は、このような事情に鑑みてなされたものであり、その目的とするところは、床の遮音性能及び耐衝撃性能を向上するボード系緩衝材を床仕上材と床下地板との間に介装した床先行工法の二重床構造体において、床鳴り現象を防止するとともに、床下地板の目地を避け且つ目地に沿って間仕切壁の床ランナ等を床下地板に確実に固定可能にする床先行工法の二重床構造体を提供することにある。
【課題を解決するための手段】
【００１９】
上記目的を達成すべく、本発明は、コンクリート床スラブ上に配列した支持脚の上部支承板によって床下地板の角部又は縁部を支持し、該床下地板の上にボード系緩衝材を固定し、該ボード系緩衝材の上に床仕上材を更に固定する床先行工法の二重床構造体において、
前記床下地板及び前記ボード系緩衝材は、実質的に同じボード幅及びボード長を有し、実質的に同一の平面位置に目地を形成するように同一の上下位置に整合した状態で一体的に積層されて一体的複合板を形成し、
前記床下地板は、パーティクルボードであり、前記ボード系緩衝材は、硬質石膏ボード、構造用石膏ボード又は繊維補強石膏板であり、
前記目地は、前記複合板の縁部の間に所定幅の隙間を形成する目透し目地であり、間仕切壁の直下において、少なくとも部分的に前記床仕上げ材で隠蔽されず、床上に位置する前記間仕切壁の内部中空域と床下空間とを通気状態に連通させ、
前記床仕上材は、隣接する前記複合板に跨がるように該ボード系緩衝材の上面に固定されることを特徴とする二重床構造体を提供する。
【００２０】
本発明の上記構成によれば、床下地板及びボード系緩衝材は、平面輪郭が一致しており、単一のボード系緩衝材と単一の床下地板とを一体化してなる単一の一体的複合板が支持脚によって支持される。即ち、一枚のボード系緩衝材は、一枚の床下地板に留付けられるので、湿度変化、温度変化等の環境の変化や、経年変化等に伴って各々の床下地板が固有の伸縮、変形又は挙動を示したとしても、床下地板は、複数のボード系緩衝材と一体化しておらず、特定のボード系緩衝材のみと一体化しているにすぎないので、床下地板及びボード系緩衝材の相対変位に起因する床鳴り現象は発生し難い。
【００２１】
また、環境変化又は経年変化等による伸縮、変形又は挙動が生じ難い硬質石膏ボード、繊維補強石膏板等をボード系緩衝材として使用し、各ボード系緩衝材を各々の床下地板に一体的に積層することにより、床下地板の伸縮、変形又は挙動をボード系緩衝材によって拘束し又は抑制することができ、これにより、床鳴り現象の発生を確実に防止することができる。
【００２２】
更には、ボード系緩衝材及び床下地板は、実質的に同一の平面位置に目地を形成するので、ボード系緩衝材の施工後に床上から床下地板の目地位置を特定することができる。このため、床下地板の目地から所定距離を隔てた位置に間仕切壁施工用の固定具（ビス等）を床下地板に確実且つ堅固に打込み又は螺子込み、床下地板の目地に沿って配列された支持脚を介して間仕切壁の荷重を確実にコンクリート床スラブに伝達するようにすることができる。
【００２３】
また、このような床構造体によれば、隣室間の振動伝達経路を目地によって遮断し、これにより、目地を利用して重量床衝撃音の低減（空気抜け効果）を図るように床構造体を設計し、或いは、将来的な改修又は改造工事の範囲を目地位置によって区画し、これにより、改修又は改造時に生じ得る不要な周辺工事の問題を解消するように床構造体を設計することが可能となる。
【００２４】
なお、現実には、室の壁際や、ドア、窓等の開口部近傍、或いは、不規則な床形状部分等においては、ボード系緩衝材と床下地板との完全な整合は困難である。従って、ボード系緩衝材及び床下地板の整合は、このような部分を除く室の主要床領域に関するものであると理解すべきである。
【００２５】
好ましくは、上記目透し目地の目地幅は、床下地板の板厚と同一又はこの板厚よりも小さい寸法に設定することが望ましい。例えば、床下地板として板厚２０mmのパーティクルボードを使用した場合、目透し目地の目地幅は、２０mm以下に設定される。
【００２６】
他の観点より、本発明は、コンクリート床スラブ上に配列した支持脚の上部支承板に床下地板の角部又は縁部を支持せしめ、該床下地板の上にボード系緩衝材を固定し、該ボード系緩衝材の上に床仕上材を更に固定する床先行工法の二重床構造体施工方法において、
実質的に同じボード幅及びボード長を有する前記床下地板及び前記ボード系緩衝材を同一の上下位置に整合させた状態で一体的に積層して一体的複合板にするとともに、隣接する該複合板の間に目透し目地を形成し、
前記目透し目地によって、前記コンクリート床スラブと前記床下地板との間の床下空間を前記複合板上方の床上空間と連通させることを特徴とする二重床構造体の施工方法を更に提供する。
【００２７】
このような施工方法によれば、床構造体の施工後に床下空間と床上空間とを連通させ、床下空間と床上空間との連通により、例えば、以下のような工事形態又は設計・施工を採用することが可能となる。
【００２８】
(1) 建設工事完了前に床下空間の湿気を床上に通気し、コンクリート床スラブの乾燥硬化促進を図り、或いは、床下空間に滞留した湿気又は蒸気の排出等を図る。
(2)床下空間の湿気又は蒸気を床上に通気する換気経路を複合板間の目透し目地によって確保する。
(3)隣室間の振動伝達経路を目地によって遮断する。
(4)目地を利用して重量床衝撃音の低減（空気抜け効果）を図る。
(5)将来的な改修又は改造工事の範囲を目地位置によって区画して改修又は改造時の不要な周辺工事の問題を解消する。
【発明の効果】
【００２９】
本発明によれば、床の遮音性能及び耐衝撃性能を向上するボード系緩衝材を床仕上材と床下地板との間に介装した床先行工法の二重床構造体において、床鳴り現象を防止するとともに、床下地板の目地を避け且つ目地に沿って間仕切壁の床ランナ等を床下地板に確実に固定することができる。
【００３０】
また、床下地板及びボード系緩衝材の複合板の間に目透し目地を形成する本発明の構成によれば、床下空間の通気、換気、隣室間の振動伝達経路の遮断、重量床衝撃音の低減(空気抜け効果)、或いは、将来的な改修又は改造工事の工事範囲の制限等の利点が得られる。
【発明を実施するための最良の形態】
【００３１】
本発明の好適な実施形態によれば、硬質石膏ボード、構造用石膏ボード又は繊維補強石膏板は、0.75〜1.70の範囲内の比重、更に好ましくは、0.9以上の比重（比重0.9〜1.70）を有する。
【００３２】
本発明の好ましい実施形態においては、内装間仕切壁は、目地の直上位置においてボード系緩衝材の上に施工される。床ランナ等の間仕切壁構成部材は、目地の両側に位置決めされた固定具によって複合板(床下地板)に固定される。好ましくは、間仕切壁の床ランナには、目地と整合する位置に通気用の開口部が形成される。
【００３３】
所望により、床下地板及びボード系緩衝材の目地形状として、複合板の縁部を突付けてなる突付け目地を採用しても良い。
【実施例１】
【００３４】
以下、添付図面を参照して本発明の好適な実施例について詳細に説明する。
【００３５】
図１及び図２は、石膏ボード、パーティクルボード等の各種ボード建材における含浸率、温度及び伸縮率の相関関係を示す線図である。
【００３６】
図１には、関係湿度及び温度の変化と関連した石膏ボード、杉板及びラワン合板の長さ変化率が示されており、図２には、関係湿度及び温度の変化と関連したパーティクルボード及びハードボード（硬質繊維板）の長さ変化率が示されている。
【００３７】
図１に示す如く、石膏ボードは、高い寸法安定性を有し、湿度変化及び温度変化と関連した石膏ボードの寸法変化は、極めて小さい。同様に、代表的な建材合板であるラワン合板や、代表的な天然木建材である杉板も又、良好な寸法安定性を有し、湿度変化及び温度変化と関連した寸法変化は比較的小さい。これに対し、湿度変化及び温度変化と関連したパーティクルボードやハードボードの寸法変化は、図２に示す如く、極めて大きく、殊に、湿度変化に起因する寸法変化が顕著に観られる。
【００３８】
床下地板（パーティクルボード）及びボード系緩衝材（石膏ボード）を積層した二重床構造体において発生する床鳴り現象は、主として、湿度変化と関連した床下地板及びボード系緩衝材の寸法変化、変位又は挙動の相違に起因すると考えられる。
【００３９】
図３及び図４は、本発明の実施例に係る二重床構造体Ｓの構成を示す縦断面図であり、図５、図６及び図７は、図３及び図４に示す二重床構造体Ｓの部分破断斜視図、平面図及び部分拡大平面図である。
【００４０】
二重床構造体Ｓは、床鳴り現象を防止するとともに、床下地板の目地を避け且つ目地に沿って間仕切壁の床ランナ等を床下地板に確実に固定可能にするための構成を有する。即ち、二重床構造体Ｓは、コンクリート床スラブＣ上に配列した支持脚１の支承板１４によって床下地板３の角部又は縁部を支持するとともに、床下地板３の上にボード系緩衝材４を固定し、ボード系緩衝材４の上に床仕上材５を更に固定した構成を備えており、床下地板３及びボード系緩衝材４は、実質的に同じボード幅及びボード長を有し、実質的に同一の平面位置に目地６を形成するように同一の上下位置に整合した状態で一体的に積層され、一体的な複合板７を構成する。床仕上材５は、隣接する複合板７の間の目地６に跨がるようにボード系緩衝材４の上面に固定される。
【００４１】
このように構成された二重床構造体Ｓの構造について、以下に詳細に説明する。
【００４２】
床先行工法の二重床構造体Ｓは、図３及び図４に示す如く、多数の支持脚１をコンクリート床スラブＣ上に立設し、床下地板３を多数の支持脚１によって支承した構造を有する。各支持脚１は、コンクリート床スラブＣの上面に着座した防振台座１１と、防振台座１１から垂直上方に延びる外螺子付き支柱１２と、内螺子付き連結具１３をその中心部に嵌装せしめた水平な支承板１４とから構成される。連結具１３の内螺子は、支柱１２の外螺子に螺合する。各床下地板３の角部及び縁部は、支承板１４上に固定される。
【００４３】
床下地板３は、板厚２０mm、幅６００mm及び長さ１８２０mmのパーティクルボードからなり、ビス又は釘によって支承板１４の上面に固定される。所望により、支承板１４に対する床下地板３の留付けに接着剤を併用しても良い。床下地板３とコンクリート床仕上材Ｃとの間には、目地６の隙間を除いて室内空間から隠蔽された床下空間２が形成される。
【００４４】
ボード系緩衝材４が床下地板３上に積層され、床仕上材５がボード系緩衝材４の上に更に積層される。ボード系緩衝材４は、板厚１２．５mm、幅６００mm及び長さ１８２０mmの硬質石膏ボードからなり、ビス又は釘等の固定具によって床下地板３の上面に固定される。所望により、固定具及び接着剤を併用してボード系緩衝材４を床下地板３に固定しても良い。
【００４５】
床仕上材５は、例えば、板厚１２mmの木製フローリング材からなり、ビス、釘等の固定具又は接着剤、或いは、固定具及び接着剤を併用してボード系緩衝材４の上に一体的に積層される。図３及び図４に示される如く、床仕上材５は、隣接する複合板７に跨がるようにボード系緩衝材４の上面に固定され、目地６によって分離された複合板７は、支承板１４及び床仕上材５を介して相互連結され、隣接する複合板７と構造的に連結される。
【００４６】
二重床構造体Ｓの荷重は、防振台座１１を介してコンクリート床スラブＣに伝達する。防振台座１１は、ゴム材等の成形品からなる。図５に示す如く、防振台座１１は、支柱１２を受入れる。支柱１２の上端部は、図７に示す如く、ドライバ先端部や六角レンチ等に係合可能な螺子頭溝１８を有する。ドライバ又は六角レンチ先端部等を溝１８に係合させて支柱１２を回転させ、支承板１４を昇降させることにより、支承板１４を所望のレベルに位置決めすることができる。
【００４７】
図７に示す如く、支承板１４は平面視正方形の輪郭を有し、支柱１２の軸芯は支承板１４の中心に位置する。床下地板３の縁は、互いに間隔Ｔを隔てて離間し、ボード系緩衝材４も又、互いに間隔Ｔを隔てて離間する。本例において、間隔Ｔは約１５mmに設定される。図６及び図７に示すように、支承板１４の中心位置で交差する間隔Ｔの目透し目地（隙間）６が平面視において縦横に形成される。
【００４８】
間仕切壁Ｗと関連した二重床構造体Ｓの部分が図４に示されている。間仕切壁Ｗは、鋼製下地又は木製下地に石膏ボード等のボード建材を固定した構造の乾式間仕切壁からなる。本例においては、間仕切壁Ｗは、上下の鋼製ランナ、鋼製スタット、振止め、スペーサ等の部材を組付けた鋼製下地５１を有する軽鉄間仕切壁からなる。図４には、鋼製下地５１を構成する床ランナ５５及びスタッド５６のみが図示されている。石膏ボード等の下張りボード５２及び上張りボード５３が鋼製下地５１に固定され、幅木５４が間仕切壁Ｗの下部に取付けられる。
【００４９】
目地６は、間仕切壁Ｗの壁芯位置に配置される。床ランナ５５は、目地６の両側に位置決めされたビス等の固定具６０によって複合板７に固定される。固定具６０は、ボード系緩衝材４を貫通して床下地板３に螺入し、床ランナ５５を確実且つ強固に床下地板３に留付ける。所望により、目地６の真上に位置する床ランナ５５の部分に孔、溝、切欠き等の開口部５９が穿設される。床下空間２は、開口部５９を介して間仕切壁Ｗの内部中空域（床上空間）と通気状態に連通する。
【００５０】
間仕切壁Ｗの片側の室における床の衝撃振動ｉが図４に模式的に示されている。床面に対する加振力又は衝撃に起因した衝撃振動ｉは、直下の複合板７に伝達する。目地６は、隣接する複合板７同士を互いに隔絶し、隣室間の衝撃振動ｉの伝達を阻止する。
【００５１】
また、床下空間２を完全に密閉せずに局所的に室内側に開放することにより、重量床衝撃音を低減する効果（いわゆる空気抜け効果）が得られる。目地６及び開口部５９は、図４に矢印ｊで示す如く、床下空間２の音を間仕切壁Ｗの内部中空域に開放する空気抜け効果を発揮する。
【００５２】
更に、目地６及び開口部５９によって、床下空間２の湿気を床上に換気する換気経路を形成することができる。
【００５３】
図９は、従来の二重床構造体の構成を比較例として示す縦断面図であり、内装間仕切壁と関連した床部分の構造が示されている。図９において、図１〜図８に示す実施例の構成要素又は部材と実質的に同一又は同等の構成要素又は部材については、同一の参照符号が付されている。
【００５４】
図９に示すような従来の二重床構造体においては、ボード系緩衝材４は、床下地板３の目地９に跨がって延びており、目地９の両側の床下地板３に対してビス、釘及び接着剤等で固定される。このような構成の二重床構造体では、前述の如く、床構造体の施工後に床鳴り現象が発生するという問題があり、また、隣室への衝撃振動ｉの伝達防止効果、重量床衝撃音の低減効果（空気抜け効果）、床下空間２の換気又は通気効果といった本発明の効果を期待することもできない。
【００５５】
図８は、図３〜図７に示す二重床構造体Ｓの施工方法を示す縦断面図である。
【００５６】
施工において、支持脚１はコンクリート床スラブＣ上に立設され（図８（Ａ））、床下地板３の角部又は縁部はビス、釘及び接着剤等によって支承板１４上に固定される（図８（Ｂ））。床下地板３は、支承板１４の中心に対して左右対称に間隔Ｔを隔てて離間する。ボード系緩衝材４はビス、釘及び接着剤等によって床下地板３上に一体的に積層される（図８（Ｃ））。ボード系緩衝材４も又、支承板１４の中心に対して左右対称に間隔Ｔを隔てて離間する。複合板７の間に形成された間隔Ｔの目地６は、平面視において縦横に延びる。
【００５７】
床仕上材５は、間仕切壁Ｗと関連しない床部分においては、図８（Ｄ）に示す如く、釘及び接着剤等によって、隣接する複合板７に跨がるようにボード系緩衝材４の上面に固定される。他方、間仕切壁Ｗと関連する床部分においては、床仕上材５は、図８（Ｅ）に示す間仕切壁Ｗの建込みがなされた後、釘及び接着剤等によって、図８（Ｆ）に示すように間仕切壁Ｗの各側のボード系緩衝材４上に固定される。
【００５８】
図８（Ｂ）及び図８（Ｃ）に示すように、建設工事中のコンクリート乾燥硬化時には、水蒸気等の蒸気Ｍがコンクリート床スラブ面から気化するが、蒸気Ｍは、目地６を介して床上の開放空間に流出し、コンクリート床スラブの乾燥硬化促進が図られる。
【００５９】
また、床のボード建材（床仕上材５、ボード系緩衝材４及び床下地板３）は、図８（Ｆ）に示されるように、間仕切壁Ｗの両側の室に跨がって延びておらず、従って、一方の室を将来的に改修又は改造する際、隣室の床を解体し且つ復旧する工程及び作業をなくし又は簡略化することができる。
【００６０】
図１０は、図９に示す従来の二重床構造体（比較例）の施工方法を段階的に示す縦断面図である。施工おいて、支持脚１の設置（図１０（Ａ））、床下地板３の留付け（図１０（Ｂ））及びボード系緩衝材４の固定（図１０（Ｃ））の各工程がなされた後、床仕上材５の敷設、或いは、間仕切壁Ｗ及び床仕上材５の組立及び敷設（図１０（Ｅ）、図１０（Ｆ））の工程が実行される。
【００６１】
本発明の施工方法（図８）と従来の施工方法（図１０）に関し、基本的な作業の手順は、概ね同一であるが、従来の施工方法では、比較的早期の段階（図１０（Ｃ）に示す段階）において、床下空間２は実質的に完全に隠蔽され、蒸気Ｍは、床下空間２に滞留してしまう。また、図１０（Ｆ）に示される如く、ボード系緩衝材４が隣室間に延在するので、一方の室を改修又は改造する際、隣室の床を解体し且つ復旧する工程及び作業が必要となる。
【００６２】
以上、本発明の好適な実施形態及び実施例について詳細に説明したが、本発明は、上記実施形態及び実施例に限定されるものではなく、特許請求の範囲に記載された本発明の範囲内において種々の変更又は変形が可能であり、かかる変更又は変形例も又、本発明の範囲内に含まれるものであることはいうまでもない。
【００６３】
例えば、上記実施例は、床下地板及びボード系緩衝材の目地として、目透し目地を採用したものであるが、床下地板及びボード系緩衝材の目地として、突付け目地を採用しても良い。
【００６４】
また、上記実施例は、床下地板としてパーティクルボードを使用し、ボード系緩衝材として硬質石膏ボードを使用したものであるが、床下地板として、ハードボード、木質系合板、ＭＤＦ、ＯＳＢ等のボード建材を使用し、ボード系緩衝材として、普通硬質石膏ボード、シージング硬質石膏ボード、化粧硬質石膏ボード等の各種硬質石膏ボードを採用し、或いは、構造用石膏ボード又は繊維補強石膏板等を使用しても良い。
【産業上の利用可能性】
【００６５】
本発明は、コンクリート床スラブ上に配列した支持脚の上部支承板によって床下地板の角部又は縁部を支持し、床下地板の上にボード系緩衝材を固定し、ボード系緩衝材の上に床仕上材を更に固定する床先行工法の二重床構造体及びその施工方法に適用される。
【図面の簡単な説明】
【００６６】
【図１】石膏ボード、ラワン合板及び杉板における含浸率、温度及び伸縮率の相関関係を示す線図である。
【図２】パーティクルボード及びハードボードにおける含浸率、温度及び伸縮率の相関関係を示す線図である。
【図３】本発明の実施例に係る二重床構造体の構成を示す縦断面図であり、内装間仕切壁と関連しない床部分の構造が示されている。
【図４】本発明の実施例に係る二重床構造体の構成を示す縦断面図であり、内装間仕切壁と関連した床部分の構造が示されている。
【図５】図３及び図４に示す二重床構造体の部分破断斜視図である。
【図６】二重床構造体の平面図である。
【図７】図６に示す"a"部の拡大平面図である。
【図８】図３〜図７に示す二重床構造体の施工方法を段階的に示す縦断面図である。
【図９】従来の二重床構造体の構成を比較例として示す縦断面図であり、内装間仕切壁と関連した床部分の構造が示されている。
【図１０】図９に示す従来の二重床構造体（比較例）の施工方法を段階的に示す縦断面図である。
【符号の説明】
【００６７】
１  支持脚
２  床下空間
３  床下地板
４  ボード系緩衝材
５  床仕上材
６  目地
７  複合板
５５  床ランナ
５９  開口部
６０  固定具
Ｓ  二重床構造体
Ｃ  コンクリート
【図１】
0005190254.tif 000002
【図２】
0005190254.tif 000003
【図３】
0005190254.tif 000004
【図４】
0005190254.tif 000005
【図５】
0005190254.tif 000006
【図６】
0005190254.tif 000007
【図７】
0005190254.tif 000008
【図８】
0005190254.tif 000009
【図９】
0005190254.tif 000010
【図１０】
0005190254.tif 000011